(57)【特許請求の範囲】
【請求項１】
粘性流体を輸送するためのスクリュポンプにおいて、スクリュの一端側に設けた粘性流体の供給口に、前記スクリュに対しほぼ垂直方向に起立する変動沈静室を設ける粘性流体用スクリュポンプにおいて、
変動沈静室内の底部における流体圧力または流体レベルを、電気信号として検出し、この検出信号に基づいてスクリュポンプの上流側の粘性流体供給装置の制御操作を行い、前記変動沈静室内の流体レベルを常に一定に保持するように構成してなる粘性流体用スクリュポンプ。
【請求項２】
変動沈静室内に供給される粘性流体は、変動沈静室内に部分的に充満し、スクリュへの供給は全て自然流下によって行うように構成してなる請求項１記載の粘性流体用スクリュポンプ。
【請求項３】
スクリュの一部または全部のフライト頂部が、ナイフエッジ状に構成してなる請求項１記載の粘性流体用スクリュポンプ。
【請求項４】
スクリュの一端側に設けた粘性流体の供給口に、前記スクリュに対しほぼ垂直方向に起立する変動沈静室を設けてなる粘性流体を輸送するためのスクリュポンプにおいて、
粘性流体の輸送量を変更するに際して、スクリュポンプの上流側における粘性流体の供給量の設定変更と連動させて、スクリュポンプの回転速度を前記供給量の変更比率と同一比率変更することを特徴とする粘性流体用スクリュポンプの運転制御方法。
【発明の詳細な説明】
【０００１】
【発明の属する技術分野】
本発明は、粘性流体もしくはこれに準ずる流体を輸送するのに適した粘性流体用スクリュポンプおよびその運転制御方法に関するものである。
【０００２】
【従来の技術】
今日、粘性流体の輸送用ポンプとしては、（１）メルトフィード式押出機〔カスケード型押出機：特公昭５５−９２９０号公報〕、（２）タンデム型押出機の第２押出機〔工業調査会発行「プラスチック」１９９７年５月号第３１図〕、（３）ギヤポンプ〔工業調査会発行「プラスチック」１９９７年１０月号１９１頁等〕、（４）兵神装備（株）製のモーノポンプ（回転容積型の一軸偏心ねじポンプ）、（５）メルトホッパを有するカスケード型押出機〔工業調査会発行「プラスチック」１９９７年３月号第２０図〕等が提案され、実施されている。
【０００３】
また、今日においては、溶融樹脂の供給を飢餓状態で行うように構成したスターブドメルトフィード式（以下、単にスターブドフィード式という）のスクリュポンプも知られている。
【０００４】
しかるに、前記スターブドフィード式スクリュポンプは、図９に示す構成からなる。
【０００５】
そして、このスターブドフィード式スクリュポンプの特性は次の通りである。
【０００６】
すなわち、前記スクリュポンプＳＰによる粘性流体の輸送量（ＴダイＤT からの吐出量）は、推進流量と圧力流量の和で表わされる。簡単化するために、スクリュＳの溝深さｈを一定とすれば、充満長ＸのスクリュポンプＳＰの輸送量Ｑは、次式で示される。
【０００７】
【数２】
0004190050.tif 000002
但し、α＝１．２８Ｄ2 ｈ、
ｒ＝４６．１／Ｄｈ3 
ここで、αは推進流定数、Ｎはスクリュ速度、ｐはスクリュ先端圧力、μは流体粘度、ｒは圧力流抵抗定数、Ｄはスクリュ径をそれぞれ示す。
【０００８】
前記式(1) は、上流側からの供給量が一定であれば、ポンプ内部の流体の充満長Ｘは不変であることを示している。しかし、供給量が一定ということはあり得ないため、前記充満長Ｘは絶えず変動する。例えば、供給量が増えると、充満長Ｘは長く（大きく）なる。
【０００９】
従って、前述したスターブドフィード式スクリュポンプの特性を要約すれば、次の通りである。
【００１０】
（ａ）充満長Ｘの変化量ｄＸが小さい程、スクリュポンプからの輸送量Ｑは安定と見做される。この点で、充満部の後端でのスクリュ流路の横断面積Ａは大きい程有利である（変化量ｄＸは横断面積Ａに比例する）。
【００１１】
（ｂ）充満長Ｘが変化しても、スクリュポンプからの輸送量Ｑが充満長Ｘの変化に鈍感（微分係数ｄＱ／ｄＸが小さい）であれば、スクリュポンプによる輸送プロセスは安定である。この点については、経験的に充満長Ｘが長い程有利であることが分かっている（充満長Ｘの変化率は充満長Ｘの大きさに逆比例する）。
【００１２】
そこで、本発明者はスクリュポンプの特性について鋭意研究を重ねた結果、例えば「物質収支」の概念に基づく解析を行って、次のような明確な結論を得た。
【００１３】
すなわち、図９のスクリュポンプにおいて、微小時間ｄｔでの上流側からの供給量Ｑi と下流側への輸送量Ｑとの差（Ｑi −Ｑ）ｄｔを想定する。この量の差は、流路の横断面積Ａのスクリュポンプ中に溜まり、充満長をｄＸ変化させるから、次式が導かれる。
【００１４】
【数３】
0004190050.tif 000003
ここで、ＸとＱとを関連付けるために、微分係数ｄＸ／ｄｔを次のように分解する。
【００１５】
【数４】
0004190050.tif 000004
ここで、Ｒ＝ｄＸ／ｄＱ＝（ｄＱ／ｄＸ）-1を「輸送抵抗」と称する。従って、前記関係から次式が導かれる。
【００１６】
【数５】
0004190050.tif 000005
ここで、前記Ｑi 、Ｑを次のように表わす。
【００１７】
【数６】
0004190050.tif 000006
前記式(4) 、(5) から次の微分方程式が導かれる。
【００１８】
【数７】
0004190050.tif 000007
前記式(6) は、自動制御理論において扱われる「１次遅れ要素」の特性方程式と同一である。従って、前記スターブドフィードされるスクリュポンプの輸送特性は、「１次遅れ要素」でモデリングし得ることを突き止めた。しかるに、「１次遅れ要素」は、入力（スクリュポンプの場合、供給量）の変動を減衰して安定化し、出力（スクリュポンプの場合、輸送量）する機能を有する。「１次遅れ要素」の特性は、時定数τによって一義的に表わされる。そこで、前記スクリュポンプによる輸送プロセスの時定数は、次の通りである。
【００１９】
τ＝ＲＡ      … (7)
複雑な変動波形も、振幅と周波数の異なる複数の三角関数の和（フーリエ級数）で表わされることが分かっている。このため、供給量の変動ｑi を振幅ａi 、周波数ｆの正弦波で表わせば、次の通りである。
【００２０】
ｑi ＝ａi ・ｓｉｎ（２πｆｔ）      … (8)
前記式(8) を前記式(6) に適用すると、スクリュポンプからの輸送量の変動成分ｑは、次式で表わされる。
【００２１】
【数８】
0004190050.tif 000008
前記式(9) によれば、輸送量の変動成分ｑは振幅がａi ／≒〔１＋（２πｆτ）2 〕、周波数ｆの正弦波で表わされる。輸送量と供給量の変動振幅の比は、サージファクタＦs と称される。また、スクリュポンプからの輸送量は、サージファクタＦs の値が小さいほど安定化される。すなわち、輸送プロセスの変動の減衰能は、サージファクタＦs に逆比例する。
【００２２】
【数９】
0004190050.tif 000009
前記式(10)によれば、前記式(7) で表わされる時定数τの値が大きいプロセスほど安定である。また、前記式(10)は、周波数ｆの高い（周期の短い）変動成分ほど減衰され易いことを明示している。この特性も、高速フーリエ変換器による実測結果と正確に一致することが確認された（図１０参照）。
【００２３】
【発明が解決しようとする課題】
しかるに、従来における粘性流体用スクリュポンプの代表的なものとしては、図９に示すような、スターブドフィードされるタンデム型押出機用スクリュポンプである（但し、ギヤポンプはないものとする）。このスクリュポンプの主機能は、溶融混練用の第１押出機側から供給される粘性流体の流量変動の減衰と、次工程への輸送である。
【００２４】
このスターブドフィード式スクリュポンプの変動の減衰能は、粘性流体の充満長を延ばすことによって強化することができる（図１１参照）。これは、充満長の延長によって、流路の横断面積Ａと輸送抵抗Ｒ（結局、時定数τ）の値が増えるからである。しかし、その上限値は高くない。また、充満長の延長は、スクリュポンプの有効長の延長に伴うコスト高、ベントアップあるいは流体の温度上昇等の問題を招来する。
【００２５】
前述した解析結果に基づく数値シミュレーションの妥当性は、図１０および図１１を初めとする幾つかの実験データによって実証することができる。また、前記解析あるいは数値シミュレーション結果は、生産機械での定性的な傾向とも一致していることが確認された。
【００２６】
また、スターブドフィード式スクリュポンプの変動の減衰能に係わる前記弱点は、その下流側にギヤポンプを導入することによって改善される（図９参照）。すなわち、ギヤポンプの導入は、充満長の短縮を可能とすると共に、減衰能を数段向上させることができる。充満長が短縮されるのは、それがギヤポンプ速度の加減によって、自在に制御可能となるからである。一方、減衰能が向上するのは、ギヤポンプの導入によって輸送抵抗Ｒの値が大幅に増大するからである。
【００２７】
しかし、このようなギヤポンプアシスト型スクリュポンプは、設備費が高くなると共に、ギヤの噛み合い部や軸受が損傷し易く、歯数×回転数を周波数とするギヤポンプ特有の脈動を発生する等の問題点がある。
【００２８】
そこで、本発明者は、鋭意研究並びに試作を重ねると共に、前記従来のスターブドフィード式スクリュポンプの性能の向上を図るべく検討を行った結果、スクリュポンプの変動減衰能を増強するための手段としては、スクリュ流路の横断面積Ａを拡張すべきことであることを突き止めた。
【００２９】
しかるに、前記横断面積の自在な拡張は、充満部の後端がスクリュポンプ中にある限り不可能である。そこで、本発明者は、前記充満部の後端位置がスクリュポンプの外にあってもよいものとの観点から、スクリュポンプの入口に変動沈静室を鉛直状に接続配置し、この変動沈静室の上流側から供給される粘性流体を、前記沈静室内へ流下・貯留させるように構成することによって、粘性流体の表面積すなわち前記横断面積Ａをスクリュサイズに拘束されることなく、自在に設定可能となることが判った。
【００３０】
なお、この場合、粘性流体は、前記変動沈静室の内壁による粘性抵抗を受けるため、その自然流下量には上限が存在することになる。また、前記変動沈静室を有するスクリュポンプの輸送抵抗Ｒの値は、予想以上に大きくなることも確認され、スクリュポンプの性能向上のための寄与率は、前記面積よりも輸送抵抗の方が大きいものとなることが判った。
【００３１】
さらに、前記変動沈静室内の粘性流体表面上での物質収支の概念から、従来のスターブドフィード式スクリュポンプの場合と同様の基礎方程式が導かれる。従って、本発明のスクリュポンプをベースとする粘性流体用輸送プロセスの動特性も、１次遅れ要素で表わされる。この１次遅れ要素の共通点は、変動の減衰能が時定数τだけによって定められ、この時定数τの増大は減衰能を向上させる反面、条件変更に要する時間が延長されると言う犠牲を伴う。
【００３２】
しかるに、本発明のスクリュポンプにおいては、従来のスターブドフィード式での充満長Ｘに相当する役目を、前記変動沈静室内の粘性流体の貯留レベルＹが果たすことになる。すなわち、上流から供給される粘性流体の変動は、前記貯留レベルＹの変動となって吸収ないし沈静化される。
【００３３】
そして、本発明のスクリュポンプをベースとする粘性流体用輸送プロセスでの輸送抵抗Ｒは、次式で求められる。
【００３４】
【数１０】
0004190050.tif 000010
但し、αs ：スクリュの推進流定数（≒１．２８Ｄs 2 ｈ）
Ｒs ：圧力流抵抗定数（≒４６．１Ｌ／Ｄs ｈ3 ）
Ｎs ：スクリュ速度
Ｒd ：ダイ抵抗定数
Ｑ：スクリュポンプの輸送量（ｃｍ3 ／ｓ）
μ：流体の粘度（ｋｇｆ−ｓ／ｃｍ2 ）
γ：流体の比重量（ｋｇ／ｃｍ3 ）
Ｑm ：内径Ｄc の変動沈静室内の最大自然流下量
なお、前記変動沈静室内の最大自然流下量Ｑm は、次式で表わされる。
【００３５】
【数１１】
0004190050.tif 000011
【００３６】
このようにして、本発明に係るスクリュポンプの最大の要点は、レベル変動ｄＹに起因するスクリュポンプ入口圧力の変化量ｄｐi が小さいことであり、この結果ｄＱ／ｄＹ（輸送抵抗Ｒの逆数）の値が極小になることである。但し、前記式(11)で明らかなように、輸送抵抗Ｒの値は、流体粘度μの低下に伴って減少するものであるから、本発明に係るスクリュポンプは、低粘性流体の変動の減衰および輸送には適していないことが理解される。
【００３７】
従って、本発明の目的は、前述した従来技術におけるスクリュポンプの問題点を解消すると共に、コンパクトな構成により、特に流量変動の減衰能がギヤポンプアシスト型スターブドフィード式スクリュポンプ以上に高く、しかもギヤポンプのような２次的な脈動が生じることのない、信頼性および安定性ならびに経済性に優れた粘性流体用ポンプおよびその運転制御方法を提供することにある。
【００３８】
【課題を解決するための手段】
前記目的を達成するために、本発明に係る粘性流体用スクリュポンプは、粘性流体を輸送するためのスクリュポンプにおいて、スクリュの一端側に設けた粘性流体の供給口に、前記スクリュに対しほぼ垂直方向に起立する変動沈静室を設ける粘性流体用スクリュポンプにおいて、変動沈静室内の底部における流体圧力または流体レベルを、電気信号として検出し、この検出信号に基づいてスクリュポンプの上流側の粘性流体供給装置の制御操作を行い、前記変動沈静室内の流体レベルを常に一定に保持するように構成してなる。
【００３９】
この場合、前記変動沈静室内に供給される粘性流体は、変動沈静室内に部分的に充満し、スクリュへの供給は全て自然流下によって行うように構成する。
【００４３】
また、前記スクリュの一部または全部のフライト頂部を、ナイフエッジ状に構成すれば好適である。
【００４４】
一方、前記構成からなる粘性流体用スクリュポンプの運転制御において、前記粘性流体の輸送量を変更するに際しては、スクリュポンプの上流側における粘性流体の供給量の設定変更と連動させて、スクリュポンプの回転速度を前記供給量の変更比率と同一比率変更するように設定すれば有効である。
【００４５】
【発明の実施の形態】
次に、本発明に係る粘性流体用スクリュポンプの実施例につき、添付図面を参照しながら以下詳細に説明する。
【００４６】
図１は、本発明に係る粘性流体用スクリュポンプの一実施例の概略構成ならびに運転制御系統を示す説明図である。すなわち、図１において、参照符号１０は外周部に適宜ヒータ１１を備えたバレルを示し、このバレル１０の内部にスクリュ１２が挿通配置されている。このスクリュ１２は、その一端部において、これを回転駆動するためのスクリュ駆動モータ１４が適宜減速機１６を介して結合されている。また、前記スクリュ１２の先端側におけるバレル１０の先端部は、短管部１８を介してＴダイ２０が結合され、所定幅の樹脂シートまたは樹脂フィルムを連続的に押出し成形するように構成されている。なお、前記バレル１０の他端部側、すなわち前記スクリュ１２の上流側には、粘性流体供給口２２が設けられる。
【００４７】
しかるに、本実施例において、前記粘性流体供給口２２には、所定量の粘性流体ＶＦを貯留してその落差（静水圧）によってバレル１０へ粘性流体を自然流下させて供給することができる管状の変動沈静室２４を、前記バレル１０の軸方向に対しほぼ直角に交差して立設するように接続配置する。
【００４８】
このように構成されたスクリュポンプを駆動するに際し、スクリュ駆動モータ１４の出力は、減速機１６を経てスクリュ１２へ伝達される。定常運転中のスクリュ速度は、原則として一定に保たれる。このため、定常運転中は、前記スクリュ駆動モータ１４を制御するモータ制御器２６に対し、スイッチ２８をオフ状態にすることによって、制御装置３０からの制御指令の伝達が遮断される。
【００４９】
一方、スクリュポンプの粘性流体供給口２２における流体圧力ｐi は、例えば１ｋｇｆ／ｃｍ2 程度のフルスケールを有する圧力計３２によって検出し、この検出信号を信号フィルタ３４へ入力する。この信号フィルタ３４の役割は、測定検出された圧力検出信号中に含まれる短〜中周期成分あるいはノイズを除去するローパスフィルタとしての機能を有する。そして、除去されるべき周期のしきい値は、条件によって異なるが、例えば非晶質ポリエステル樹脂（Ａ−ＰＥＴ）からなるシートの押出成形の場合には、数分〜十分程度が適当である。
【００５０】
このようにして平滑化されたスクリュポンプの粘性流体供給口２２における流体圧力ｐi の測定信号は、基準レベル設定器３６で設定された基準レベルと比較器３８で比較され、その偏差が取り出される。そして、この偏差信号は、制御装置３０に入力されて、これを解消するために必要な操作量が算定される。従って、この制御装置３０に対しては、スクリュポンプの適正な輸送量に関するデータを設定した輸送量設定器４０が接続される。
【００５１】
このようにして前記制御装置３０において算定された操作量は、スクリュポンプの上流側の粘性流体の供給量を調整する制御信号として出力される。この場合、前記制御信号は、変動沈静室２４に対して粘性流体を供給する粘性流体供給装置４２を制御する供給装置制御器４４に対してフィードバックされ、粘性流体の供給量の設定値の修正を行って、前記変動沈静室２４内の粘性流体のレベルＹを常に一定範囲内に保持し得るように制御する。
【００５２】
また、スクリュポンプにおいて、スクリュ１２の先端の流体圧力ｐは、粘度が一定であれば、輸送量と下流側の流動抵抗の兼ね合いによって定めることができる。このため、前記スクリュポンプのスクリュ１２の先端側に適宜圧力計４６を設ける。そこで、例えば、スクリュポンプの下流側に流体用フィルタ（図示せず）を設ける場合、スクリュ１２の先端の流体圧力は、前記フィルタの目詰まりの進行に伴って漸増し、この結果スクリュポンプの輸送量は漸減する。従って、前記フィルタの目詰まりの過程で、輸送量を一定に保持する手段として、スクリュポンプの下流側に圧力調節弁（図示せず）を設けてこれを徐々に開放する方法、あるいはスクリュ速度Ｎs を漸増する方法が考えられる。なお、本実施例のように、スクリュ速度一定の原則からは、前者の方法が好ましい。
【００５３】
次に、前記構成からなる本実施例に係る粘性流体用スクリュポンプの特性、すなわち粘性流体の流量変動の減衰能について、それぞれ実験例に基づいて説明する。
【００５４】
まず、図１に示す粘性流体用スクリュポンプを次のように条件設定した。
【００５５】
スクリュポンプの仕様
・スクリュ１２の直径Ｄs ：１１５ｍｍ
・スクリュ１２のリード  ：１１５ｍｍ
・有効長Ｌ  ：４×Ｄs
・溝深さｈ  ：７．５ｍｍ（一定）
・スクリュフライト形状  ：ナイフエッジ状
変動沈静室２４の仕様
・内径１１５ｍｍ×高さ２．０ｍの円管
・沈静室２４内の流体レベルＹは１ｍに設定
その他の設定条件
・粘性流体として比重１．１７、平均粘度２２００ｐｏｉｓｅの非晶質ポリエステル樹脂（Ａ−ＰＥＴ）の溶融体を使用
・Ｔダイとしてリップ幅を１．３ｍに設定したものを使用
・スクリュポンプの平均輸送量Ｑを３９０ｋｇ／ｈに設定
・粘性流体の供給量の変動を±３〜１０％程度に設定
・スクリュ先端部の圧力ｐを１３０ｋｇｆ／ｃｍ2 に設定
【００５６】
実験例１
前記条件設定に基づくスクリュポンプにおいて、粘性流体の供給量のみをステップ状に０．１％増やした場合の輸送プロセスの応答特性を測定した結果、図２に示すような特性が得られた。図２おいては、スクリュポンプの輸送量Ｑ、変動沈静室２４内の流体レベルＹおよびスクリュ１２先端の流体圧力Ｐが時間と共に、指数曲線を描いて漸増することを示している。
【００５７】
この結果から、本実施例によるスクリュポンプの動特性は、１次遅れ要素に属することが認められる。また、輸送プロセスの時定数は、約６０００分（１００時間）であり、新しい平衡状態に入るまでに要する時間は、前記時定数の約５倍に達することが明示されている。
【００５８】
このように、本発明に係る粘性流体用スクリュポンプにおいて、流量変動の減衰能が高いのは、輸送プロセスの時定数の値が桁違いに大きくなるためである。この時定数の大きさは、輸送プロセスの“熱し難く冷め難い”度合いを表わす。従って、輸送量等の運転条件の変更を単純に行うと、新しい平衡状態に落ち着くまでに、長時間が費やされることになる。
【００５９】
実験例２（本発明の運転制御方法）
条件変更に時間が掛り過ぎるという前記実験例１の問題を解決するため、粘性流体の供給量とスクリュ速度を、同時に、同率で変更するものである。従って、この場合、図１に示すスクリュポンプにおいてモータ制御器２６に対して接続される制御信号ラインに設けたスイッチ２８は、オン状態とされる。
【００６０】
すなわち、本実験例２においては、粘性流体の供給量とスクリュ速度とを、同時に、１０％増大させた場合の輸送プロセスの応答特性を測定した結果、図３に示すような特性が得られた。
【００６１】
この結果から、変動沈静室２４内の流体レベルＹは、僅かに変化するが、輸送量Ｑとスクリュ１２先端の流体圧力Ｐは、ほぼ瞬時に、新しい平衡状態に落ち着くことが確認された。なお、実際の輸送プロセスにおいては、微調整が必要となるため、瞬時とはいかなくても、５分以内となるものと思料される。
【００６２】
実験例３
前記実験例１と同じ条件設定とし、上流側からの粘性流体の供給量変動成分を片振幅を１８ｋｇ／ｈ（±４．６％）、周期を１２０秒の正弦波とした場合における、輸送プロセスでの流量変動の減衰についての応答特性を測定した結果、図４に示すような特性が得られた。
【００６３】
この結果、変動沈静室２４内の流体レベルＹを１ｍに確保するためのスクリュ１２の速度は１０６．４ｒｐｍ、プロセスの時定数は６０２０分、サージファクタの値は約０．００００５３（供給量の変動振幅を０．００５３％に低減）になることが確認された。輸送量Ｑの変動は限りなく零に近付くことが確認された。
【００６４】
また、前記図４に示す結果によれば、±１８ｋｇ／ｈ、周期１２０秒の粘性流体の供給量の変動は、まず変動沈静室２４内の流体レベルＹを約±８ｍｍ上下させる。この±８ｍｍの流体レベルＹの変化によって生じるスクリュポンプの入口の圧力変化量（スクリュポンプ前後の圧力差の変化量）は、粘性抵抗の影響を無視しても、±γΔＹ＝±０．００１ｋｇｆ／ｃｍ2 弱に過ぎない。そして、スクリュポンプでの圧力流量を定める圧力勾配の変化率（圧力差の変化率）は、さらに２桁以上小さくなる。これが、本発明に係る粘性流体用スクリュポンプによって、粘性流体の供給量の変動が激減される理由である。
【００６５】
因みに、このような驚異的な粘性流体の流量変動に対する減衰能は、例えば一般的なタンデム型押出機用スクリュポンプ（スクリュ径１１５ｍｍ×有効長２０Ｄs ）の下流側に、圧力差が１００ｋｇｆ／ｃｍ2 での特定条件容積効率が９９．９％という超精密ギヤポンプを導入し、充満長が１７．５Ｄs で運転した時の前記減衰能（サージファクタＦs ＝０．０００１８）〔図５参照〕を大幅に凌ぐものである。なお、特定条件容積効率が９９．９％というのは、前記ギヤポンプの前後での圧力差が１００ｋｇｆ／ｃｍ2 の時に、歯車の側面隙間を通る圧力流量が０．１％であることを意味し、このような超精密ギヤポンプは、現状の技術では入手が困難な高レベルのものである。
【００６６】
実験例４
前記実験例３の場合、スクリュ速度は１０６．４ｒｐｍで、変動沈静室２４内の流体レベルＹは１ｍであった。そこで、この状態で前記スクリュ速度を０．１ｒｐｍ増速すると、スクリュポンプの状態は、やがて図６に示すようになる。すなわち、図６において、スクリュポンプは、変動沈静室２４内の流体レベルＹが零となり、その充満長Ｘが約４Ｄs となることを示している。
【００６７】
この場合における輸送プロセスでの流量変動の減衰についての応答特性を測定した結果、図７に示すような特性が得られた。図７に示す結果から、流量変動の減衰能はほぼ零であり、これは流量変動の減衰モードが変動沈静室２４内での流体レベル方式からスクリュ１２上での充満長方式に変わったためである。このように、前記変動沈静室２４内での流体レベルＹが零となる点を境とする特性の激変は驚異的である。
【００６８】
実験例５
前記実験例４の図６に示す状態のスクリュポンプの下流側に、前記図５に示される特性を有する超精密ギヤポンプを導入する。この場合における輸送プロセスでの流量変動の減衰についての応答特性を測定した結果、図８に示すような特性が得られた。図８に示す結果から、流量変動の減衰能は３２０倍に増強された。しかし、図４に示す特性を有する本発明に基づく実験例３のスクリュポンプの減衰能に比べれば、約１／４０に過ぎない。また、図５に示す一般的なタンデム型押出機用スクリュポンプの減衰能に比べて、同一の超精密ギヤポンプを使用しているにも拘らず、減衰能が１桁低いのは、スクリュポンプ側の条件（有効長）が劣るからである。
【００６９】
なお、本発明において、スクリュポンプのスクリュ１２の直径Ｄs は、次式で算定される値の１．２倍以上に設定し、スクリュ１２の有効長さＬは、その直径Ｄs の８倍以内に設定することが有効であることが確認された。
【００７０】
【数１３】
0004190050.tif 000012
但し、Ｑ：スクリュポンプの輸送量（ｃｍ3 ／ｓ）
μ：流体の粘度（ｋｇｆ−ｓ／ｃｍ2 ）
γ：流体の比重量（ｋｇ／ｃｍ3 ）
【００７１】
以上、本発明の好適な実施例について説明したが、本発明は前記実施例に限定されることなく、本発明の精神を逸脱しない範囲内において多くの設計変更が可能である。
【００７２】
【発明の効果】
前述したように、本発明に係る粘性流体用スクリュポンプにおいては、粘性流体を輸送するためのスクリュポンプにおいて、スクリュの一端側に設けた粘性流体の供給口に、前記スクリュに対しほぼ垂直方向に起立する変動沈静室を設けた構成とすることにより、コンパクトな構成により、特に変動の減衰能がギヤポンプアシスト型スターブドフィード式スクリュポンプ以上に高く、しかもギヤポンプのような２次的な脈動が生じることのない、信頼性および安定性ならびに経済性に優れたものを得ることができる。
【００７３】
また、本発明に係る粘性流体用スクリュポンプにおいては、粘性流体の輸送量を変更するに際して、スクリュポンプの上流側における粘性流体の供給量の設定変更と連動させて、スクリュポンプの回転速度を前記供給量の変更比率と同一比率変更するように、前記粘性流体用スクリュポンプの運転制御を行うことにより、供給量の変更に伴う所要時間を短縮することができる。
【図面の簡単な説明】
【図１】本発明に係る粘性流体用スクリュポンプの一実施例を示す概略構成の断面とその運転制御系統とを示す説明図である。
【図２】本発明に係る粘性流体用スクリュポンプにおいて供給量をステップ状に変更（０．１％増）した場合の輸送プロセスのステップ応答特性線図である。
【図３】本発明に係る粘性流体用スクリュポンプにおいて供給量とスクリュ速度をステップ状に同時・同率変更（１０％増）した場合の輸送プロセスのステップ応答特性線図である。
【図４】本発明に係る粘性流体用スクリュポンプにおける供給量変動成分に対する輸送プロセスの減衰能特性線図である。
【図５】一般的なタンデム型スクリュポンプに超精密ギヤポンプを導入した場合における供給量変動成分に対する輸送プロセスの減衰能特性線図である。
【図６】スクリュ速度を増速した場合の本発明に係る粘性流体用スクリュポンプの概略構成断面図である。
【図７】図６に示す粘性流体用スクリュポンプにおける供給量変動成分に対する輸送プロセスの減衰能特性線図である。
【図８】図６に示す粘性流体用スクリュポンプに超精密ギヤポンプを導入した場合における供給量変動成分に対する輸送プロセスの減衰能特性線図である。
【図９】従来のタンデム型押出機の第２押出機として適用されるギヤポンプアシスト型スターブドフィード式スクリュポンプの概略構成断面図である。
【図１０】従来のスターブドフィード式スクリュポンプを適用したベント押出機におけるスクリュ先端の流体圧力の変動特性を高速フーリエ変換器で分析した場合の圧力の原波形図および周波数スペクトル図である。
【図１１】従来のスターブドフィード式スクリュポンプを適用したベント押出機におけるサージファクタと充満長との関係を示す特性線図である。
【符号の説明】
１０  バレル
１１  ヒータ
１２  スクリュ
１４  スクリュ駆動モータ
１６  減速機
１８  短管部
２０  Ｔダイ
２２  粘性流体供給口
２４  変動沈静室
２６  モータ制御器
２８  スイッチ
３０  制御装置
３２  圧力計
３４  信号フィルタ
３６  基準レベル設定器
３８  比較器
４０  輸送量設定器
４２  粘性流体供給装置
４４  供給装置制御器
４６  圧力計
【図１】
0004190050.tif 000013
【図２】
0004190050.tif 000014
【図３】
0004190050.tif 000015
【図４】
0004190050.tif 000016
【図５】
0004190050.tif 000017
【図６】
0004190050.tif 000018
【図７】
0004190050.tif 000019
【図８】
0004190050.tif 000020
【図９】
0004190050.tif 000021
【図１０】
0004190050.tif 000022
【図１１】
0004190050.tif 000023